(57)【要約】  膨張可能なクッションデバイスは、膨張可能な本体と、本体に結合されている首部と、終端と遠位端とを有する弁部材とを含む。終端は首部に結合される。弁部材は、弁部材遠位端が首部の内側に配置される膨張構成を有する。弁部材は、弁部材遠位端が首部の外側に配置される収縮構成を有する。【選択図】図１
2018507036.tif 000002
【特許請求の範囲】
【請求項１】
膨張可能なクッションデバイスであって、
膨張可能な本体と、
前記本体に結合されている首部と、
終端と遠位端とを有する弁部材とを備え、
前記終端は前記首部に結合され、前記弁部材は、前記弁部材遠位端が前記首部の内側に配置される膨張構成を有し、前記弁部材は、前記弁部材遠位端が前記首部の外側に配置される収縮構成を有する、デバイス。
【請求項２】
前記本体と前記首部に結合されている肩部をさらに備える、請求項１に記載のデバイス。
【請求項３】
前記弁部材が前記膨張構成であるとき、前記弁部材遠位端は、前記肩部中ではないが、前記肩部に向かって伸張する、請求項２に記載のデバイス。
【請求項４】
前記弁部材の幅は、前記終端から前記遠位端に先細になっている、請求項１に記載のデバイス。
【請求項５】
前記本体と流体連結する空気弁をさらに備える、請求項１に記載のデバイス。
【請求項６】
前記空気弁は、自己膨張弁である、請求項５に記載のデバイス。
【請求項７】
膨張可能なクッションデバイスであって、
概して対向する第１及び第２の内表面を有する膨張可能な本体と、
前記本体に結合され、前記本体内に配置されている空気不浸透性フィルムレイヤと、
第１及び第２のチャンバーに空気圧で結合されている１次首部と、
前記第１のチャンバーに空気圧で結合されている２次首部と、
終端及び遠位端を有する１次弁部材と、
終端及び遠位端を有する２次弁部材とを備え、
前記第１のチャンバーが前記空気不浸透性フィルムレイヤと第１の内表面により形成され、前記第２のチャンバーが前記空気不浸透性フィルムレイヤと第２の内表面により形成され、前記第２のチャンバーは、前記空気不浸透性フィルムレイヤによって前記第１のチャンバーから空気圧で分離され、
前記１次弁部材終端は、前記１次首部に結合され、前記１次弁部材は、前記１次弁部材遠位端が前記１次首部の内側に配置される膨張構成を有し、前記１次弁部材は、前記１次弁部材遠位端が前記１次首部の外側に配置される収縮構成を有し、
前記２次弁部材終端は、前記２次首部に結合され、前記２次弁部材は、前記２次弁部材遠位端が前記２次首部の内側に配置される膨張構成を有し、前記２次弁部材は、前記２次弁部材遠位端が前記１次首部の内側に配置される収縮構成を有する、デバイス。
【請求項８】
前記本体と前記首部に結合されている肩部をさらに備える、請求項７に記載のデバイス。
【請求項９】
前記１次及び２次弁部材が前記膨張構成であるとき、前記１次及び２次弁部材遠位端は、前記肩部中ではないが、前記肩部に向かって伸張する、請求項８に記載のデバイス。
【請求項１０】
前記１次弁部材の幅は、前記１次弁部材終端から前記１次弁部材遠位端に先細になっている、請求項７に記載のデバイス。
【請求項１１】
前記２次弁部材の幅は、前記２次弁部材終端から前記２次弁部材遠位端に先細になっている、請求項７に記載のデバイス。
【請求項１２】
前記第１及び第２のチャンバーと、それぞれ流体連結する第１及び第２の空気弁をさらに備える、請求項７記載のデバイス。
【請求項１３】
膨張可能なクッションデバイスであって、
概して対向する第１及び第２の内表面を有する膨張可能な本体と、
前記本体に結合され、前記本体内に配置されている空気不浸透性フィルムレイヤと、
第１のチャンバーに空気圧で結合されている第１の首部と、
第２のチャンバーに空気圧で結合されている第２の首部と、
終端及び遠位端を有する第１の弁部材と、
終端及び遠位端を有する第２の弁部材とを備え、
前記第１のチャンバーが前記空気不浸透性フィルムレイヤと第１の内表面により形成され、前記第２のチャンバーが前記空気不浸透性フィルムレイヤと第２の内表面により形成され、前記第２のチャンバーは、前記空気不浸透性フィルムレイヤによって前記第１のチャンバーから空気圧で密封され、
前記第１の弁部材終端は、前記第１の首部に結合され、前記第１の弁部材は、前記第１の弁部材遠位端が前記第１の首部の内側に配置される膨張構成を有し、前記第１の弁部材は、前記第１の弁部材遠位端が前記第１の首部の外側に配置される収縮構成を有し、
前記第２の弁部材終端は、前記第２の首部に結合され、前記第２の弁部材は、前記第２の弁部材遠位端が前記第２の首部の内側に配置される膨張構成を有し、前記第２の弁部材終端は、前記第２の弁部材遠位端が前記第２の首部の外側に配置される収縮構成を有する、デバイス。
【請求項１４】
前記本体と前記首部に結合されている肩部をさらに備える、請求項１３に記載のデバイス。
【請求項１５】
前記第１及び第２の弁部材が前記膨張構成であるとき、前記第１及び第２の弁部材遠位端は、前記肩部中ではないが、前記肩部に向かって伸張する、請求項１４に記載のデバイス。
【請求項１６】
前記第１の弁部材の幅は、前記第１の弁部材終端から前記第１の弁部材遠位端に先細になっている、請求項１３に記載のデバイス。
【請求項１７】
前記第２の弁部材の幅は、前記第２の弁部材終端から前記第２の弁部材遠位端に先細になっている、請求項１３に記載のデバイス。
【請求項１８】
前記第１及び第２のチャンバーと、それぞれ流体連結する第１及び第２の空気弁をさらに備える、請求項１３に記載のデバイス。
【発明の詳細な説明】
【技術分野】
【０００１】
［優先権の主張］
[0001]  この特許出願は、２０１５年３月３日に出願された米国仮特許出願シリアル番号第６２／１２７，６９６号の優先権を主張し、その全体は、ここに完全に記載されるように、参照によってここに組み込まれる。
【背景技術】
【０００２】
[0002]  従来のエアマットレスは、典型的に、充填された時に高圧縮性の、軽量フィルム、布、又は、スクリムのようなコアで構成されているが、口又はさまざまなポンプのいずれかによる、膨張を必要とする。いくつかの従来のエアマットレスは、連続気泡フォームが詰められ、完全に又は幾分自己膨張式であるが、充填された時に、かさばり、非自己膨張式のエアマットレスよりも重量が重い。多くの従来のエアマットレスは、小さな弁及び限られた容積効率を有している。
【図面の簡単な説明】
【０００３】
[0003]  添付の図面を併用するときに、以下の詳細な説明を参照することによって、本発明に付随する利点の多くがより良く理解されるように、本発明に付随する利点の多くはより容易に認識されるだろう。
【図１】[0004]  図１は、本発明の第１実施形態の上面図を図示している。
【図２】図２は、本発明の第１の実施形態の上面図を図示している。
【図３】図３は、本発明の第１の実施形態の上面図を図示している。
【図４】図４は、本発明の第１の実施形態の上面図を図示している。
【図５】[0005]  図５は、本発明の第２の実施形態の上面図を図示している。
【図６】[0006]  図６は、図５中に図示された実施形態の垂直断面図を図示している。
【図７】[0007]  図７は、本発明の第３の実施形態の上面図を図示している。
【図８】[0008]  図８は、図７中に図示した実施形態の垂直断面図を図示している。
【図９】[0009]  図９は、本発明の実施形態にしたがった、マトリクスコアを図示している。
【図１０】図１０は、本発明の実施形態にしたがった、マトリクスコアを図示している。
【発明の概要】
【０００４】
[00010]  この特許出願は、本発明の１つ以上の実施形態を説明することを意図している。「しなければならない」、「だろう」、及び、これらに類するものとともに特定の量のような絶対的用語の使用は、必ずしもすべてのこのような実施形態に対してではないが、このような実施形態のうちの１つ以上に対して適用可能であるとして解釈すべきであると理解すべきである。このように、本発明の実施形態は、このような絶対的用語の文脈において説明される１つ以上の特徴又は機能性の修正を、省略してよく、又は、含んでいてよい。
【０００５】
[00011]  実施形態は、エアマットレスのための一意的な空気膨張器及び収縮器を含む。これは、従来の設計よりも、より速く、より容易に使用される。１つ以上の実施形態は、簡略化された操作に対する膨張及び収縮のための、簡略化された自動的逆転ダックビル弁と、より単純なロールダウン及びバックルの又はプラスチック‐ジッパータイプのクロージャーとを含む。プラスチック‐ジッパータイプのクロージャーは、首部に接合されてよい。プラスチック‐ジッパータイプのクロージャーは、プラスチック‐ジッパータイプのクロージャーを開く際に支援するためのタブと、プラスチック‐ジッパータイプのクロージャーを閉じる際に支援するためのクリップ又はスライダとを含んでいてよい。
【発明を実施するための形態】
【０００６】
[00012]  図１−４を参照すると、実施形態にしたがう膨張可能なクッションデバイス１００が図示されている。デバイス１００は、コア１４０と側チャネル１５０とが配置された、膨張可能な本体１０５を含む。本体１０５及びコア１４０は、図９−１０中に図示し、図９−１０中を参照して説明され、「とりわけ、膨張可能な本体による使用のための、統合放射及び／又は対流バリアを有するセルラマトリックス」と題された、米国特許出願番号第１２／８４２，０２７号中に説明されている構成と同一、又は、類似して構成されてよく、米国特許出願番号第１２／８４２，０２７号は、その全体が、ここに完全に説明されているかのように、参照によってここに組み込まれている。
【０００７】
[00013]  より具体的には、図９−１０を参照すると、マトリクスコア２０の一般的な構成が、膨張可能な本体３０と共に示されている。この実施形態では、フィルムシートの形態の薄いウレタンフィルムのみで構成されているコア２０は、第１の波形又は蛇行シート２４ａ及び第２の波形又は蛇行シート２４ｂ（集合的に又は一般的に、波形又は蛇行シート２４として呼ぶ）に接合された平面シート２２を含む。各波形又は蛇行シート２４は、近位頂点２６と遠位頂点２８とを備えており、これらは、隣接する素材に、すなわち、２つの隣接セル２１のうちの１つの側を構成する２つの頂点間の素材に熱又はＲＦ接合されていることが好ましい。この図示している実施形態では、波形又は蛇行シート２４ａ及び２４ｂの近位頂点２６は、一般的に互いに対向して平面シート２２に接合され、例えば、シート２４ａに誘導される引張応力がほぼ直接シート２４ｂに伝えられ、その逆も同様である。張力のこの効果的な移転は、本発明のある物品の実施形態において、必要な引張要素を有利に提供し、平面シート２２で比較的低い引張強度の代替素材の使用を可能にする。
【０００８】
[00014]  マトリクスコア２０は、膨張可能な本体３０中に配置され、部分的に膨張可能な本体３０に接合されて、示されている。膨張可能な本体３０は、第１及び第２のパネル３２ａ及び３２ｂを備え、それぞれが内表面及び外表面３４、３６を有しており、これらは、被包構造を形成するようにその対向する境界で合わせられ、これらは、波形又は蛇行シート２４の遠位頂点２８のそこへの接合を通して、コア２０を備えるセルのほぼ半分に対するセル壁を形成する。第１及び第２パネル３２ａ、３２ｂによって規定されたチャンバーへのガス／空気の流入、及び、第１及び第２パネル３２ａ、３２ｂによって規定されたチャンバーからのガス／空気の流出をできるようにするために、弁３８が、パネルのうちの１つの中に配置される（ここでは、パネル３２ａに配置されるように示されている）。セル２１の端が密封されておらず、及び／又は、各セル中の少なくとも1つの壁が液体／ガス浸透性であると仮定すると、第１及び第２のパネル３２ａ及び３２ｂによって規定されるチャンバー内の任意の液体／ガスは、本体３０の完全な圧縮の際に、弁３８を通過するだろう。
【０００９】
[00015]  コア２０中の各セル２１は、セル軸又は角柱の幾何学的な「高さ」と一致する長手方向を規定し、２つの脚壁と底壁を識別する目的で備えている。従来は、及び、図１０を参照すると、任意の所定のセル２１は、底壁２３と脚壁２５'、２５”とを備えている（脚壁は視覚的に分離しているが、波形又は蛇行シート２４ａ及び２４ｂの単一の事例から形成されることに留意されたい）。脚壁２５”、２５”は、その間で角度シータを形成し、その値は、底壁２３の横方向の長さに比例する。これから以下にさらに詳細に説明するように、シータの値は、コア２０の回復バイアスの係数であるとともに膨張可能なの本体３０の積載量である。
【００１０】
[00016]  本発明の膨張可能な本体の実施形態は、必ずしもコアが配置される単一チャンバーのみを提供しない。図１０に示すように、コア２０が長手方向に向けられ、パネル３２ａ、３２ｂに本質的に平行する平面シート２２を有することにより、パネル３２ａ、３２ｂの間の境界接合に含まれるその外方伸長は、チャンバーを２つに分ける。必ずしもではないが、１つ又は両方の波形又は蛇行シート２４ａ及び２４ｂを境界接合に含めることが望まれてよい。代替的に、１つ又は両方の、波形又は蛇行シート２４ａ及び２４ｂがパネル３２ａ及び３２ｂの周辺部分に伸長する場合のみ、チャンバーを２つに分けることが達成されることができる。側チャネル１５０は、図１０に図示される側チャネル９０と類似して構成されてよい。側チャネル１５０は、空気分配マニホールドとして機能してよく、コア１４０断面積の合計断面積１５−２０％を有してよい。コア１４０のすべて又は一部は、一実施形態では空気浸透性であってよい。
【００１１】
[00017]  再び図１−４を参照すると、デバイス１００は、本体１０５に結合されている首部１１０をさらに含み、空気が本体とデバイスの外部の周囲環境との間を流れることができるようにするように構成されている。デバイス１００は、本体１０５と首部１１０との間で移行ゾーンとして機能する肩部１３０をさらに含んでいる。図１−４において見ることができるように、首部１１０と本体１０５の向きは互いに実質的に平行である一方で、肩部１３０は、首部及び本体に関して（例えば、〜４５度の）角度に向いている。
【００１２】
[00018]  弁部材１１５は、終端１２０と遠位端１２５とを含み、終端は首部１１０に取り付けられている。一実施形態では、弁部材１１５の幅は、遠位端が終端よりも広くならないように、終端１２０から遠位端１２５に先細になっており、その縁に沿って縫合されており、これにより、いったんデバイス１００が完全に又はほぼ完全に膨張すると、弁部材の自動的な(すなわち、手動ではない)閉鎖を促進する。
【００１３】
[00019]  図１−２中に最もよく図示されているように、弁部材１１５は、首部１１０の内部に弁部材遠位端１２５が配置されている膨張構成を有している。図１で示すように、及び、一実施形態では、弁部材１１５が膨張構成にあるとき、弁部材遠位端１２５は、終端１２０から肩部１３０中ではないが、肩部１３０に向かって伸長する（すなわち、終端は、首部１１０が肩部に移行する際に曲がり始める破線１２６によって示すロケーションを超えて伸長しない）。代替的に、弁部材が、膨張している間に自由に閉じることができ、収縮している間に自己反転できるように、弁部材１１５の遠位端１２５は、コア１４０からわずかな距離（例えば、１／２”)を離れて伸長してよい。デバイス１００は、本体１０５と流体連結し、自己膨張型のものであってよい空気弁１３５をさらに含む。いったん弁部材１１５が密封されると、弁１３５は、デバイス１００のユーザが本体１０５の膨張圧を「微調整」できるようにする。
【００１４】
[00020]  図２中に最もよく図示されているように、マットレスが適切に膨張するまで、弁部材を通してベルヌーイの原理に基づいて外気を取り込むことを促進するために、ユーザの口を首部から数センチ（数インチ）（例えば、１５．２４−２５．４センチメートル（６−１０インチ））に位置付けることにより、空気が、首部１１０内に、及び、弁部材１１５内に吹き込まれることができる。デバイスが膨張すると、終端１２０から遠位端１２５への流れを可能にする逆止弁として弁部材が機能するように、弁部材遠位端１２５に対する背圧を上げることが弁部材１１５の閉鎖を促進する。
【００１５】
[00021]  図３中に図示されているように、いったんデバイス１００が適切に膨張すると、ユーザは、首部１１０と密封バックル１４５を肩部１３０に向けて回転させ、バックルを所定の位置で留め、これにより、空気がデバイスから逃げるのを防ぐように首部を密封する。
【００１６】
[00022]  図４中に最もよく図示されているように、膨張構成の方向とは逆の方向に、弁部材遠位端１２５が首部１１０の外側に配置される収縮構成を弁部材１１５はさらに有する。この収縮構成を達成するために、バックル１４５はゆるめられ、デバイス１００は、弁部材終端１２０が首部１１０の外に出されるまでわずかに圧縮され、空気をデバイスの外部の周囲環境に自由に放出できる。いったんデバイス１００が適切に収縮されると、弁部材１１５は、首部１１０に押し込まれ、バックル１４５が留められ、デバイスは格納できる。
【００１７】
[00023]  図５−図８は、デュアルチャンバーを含む代替実施形態を図示しているが、別な方法で、ここで上述したすべての原理及び構成を組み込んでいる。図５−６中に示す実施形態は、１つの高容量フィルム弁を使用して、ベルヌーイの原理を利用する両方のチャンバーを膨張させて、吸気量を増加させ、その後、第２の内側の高容量フィルム弁を使用して、第２のチャンバーを膨張させる。チャンバーは、空気不浸透性中心フィルムレイヤによって分離され、首部のロールダウン閉鎖が行われたときに、互いから、外側に密封される。その後、ユーザは、各チャンバーに対する補助弁を使用して、快適さ及び熱性能をより高めるために、選択的に上下のチャンバーを調節できる。さらに、別のデュアルチャンバーは、チャンバーのうちの１つに穴が開いた場合、確実にマットレスが膨張したままであるようにする。速やかにマットレスを収縮させるために、ユーザは、簡単に閉鎖を広げ、マットレス中に閉じ込められた空気は、収縮のために、自動的に両方の弁を逆にする。
【００１８】
[00024]  具体的には、及び、図５−６を参照すると、膨張可能なクッションデバイス５００は、第１及び第２の広く対向する内表面５５０、５５５、及びコア５４０を有する膨張可能な本体５０５を含む。空気不浸透性フィルムレイヤ５６０は、本体５０５に結合され、及び、本体５０５内に配置されている。第１のチャンバー５６５は、フィルムレイヤ５６０と第１の内表面５５０とによって形成される。第２のチャンバー５７０は、フィルムレイヤ５６０と第２の内表面５５５によって形成される。第２のチャンバー５７０は、したがって、フィルムレイヤ５６０によって第１のチャンバー５６５から空気圧によって分離されている。デバイス５００は、密封バックル５４５も含んでいてよい。
【００１９】
[00025]  １次首部５１０は、空気圧で、第１及び第２のチャンバー５６５、５７０に結合される。２次首部５１１は、空気圧で、第１のチャンバー５６５に結合される。デバイス５００は、本体５０５と首部５１０、５１１との間の移行ゾーンとして機能する肩部５３０をさらに含む。
【００２０】
[00026]  １次弁部材５１５は、終端５２０及び遠位端５２５を含む。１次弁部材終端５２０は、１次首部５１０に取り付けられている。２次弁部材５１６は、同様に、終端５２１及び遠位端５２６を有する。２次弁部材終端５２１は、２次首部５１１に取り付けられている。実施形態では、弁部材５１５、５１６の幅は、終端５２０、５２１から遠位端５２５、５２６へ先細になっており、したがって遠位端は終端よりも広くなく、これにより、いったんデバイス５００が完全に又はほぼ完全に膨張すると、弁部材の自動閉鎖を促進する。
【００２１】
[00027]  弁部材１１５を参照して、上記で説明した方法と類似した方法で、１次弁部材５１５は、１次弁部材遠位端５２５が１次首部５１０の内側に配置される膨張構成を有する。１次弁部材５１５は、１次弁部材遠位端５２５が膨張構成の方向と対向する方向で１次首部５１０の外側に配置される収縮構成を有する。
【００２２】
[00028]  同様に、２次弁部材５１６は、２次弁部材遠位端５２６が２次首部５１１の内側に配置される膨張構成を有する。２次弁部材５１６は、２次弁部材遠位端５２６が膨張構成の方向と対向する方向で１次首部５１０の内側に、２次首部５１１の外側に、配置される収縮構成を有する。
【００２３】
[00029]  １次及び２次弁部材５１５、５１６が膨張構成であるとき、１次及び２次弁部材遠位端５２５、５２６は、肩部５３０中ではないが、肩部５３０に向かって伸張する。デバイス５００は、空気弁５７５、５８０をさらに含み、これらは、第１及び第２のチャンバー５６５、５７０とそれぞれ流体連結する、自己拡張型のものであってよい。いったん弁部材５１５、５１６が密封されると、弁５７５、５８０は、デバイス５００のユーザが、第１及び第２のチャンバー５６５、５７０中に膨張圧を「微調整」できるようにする。
【００２４】
[00030]  上述した、及び、図７−８中の、改良の別のバージョンは、ロールダウン閉鎖の端まで続く空気不浸透性中心フィルムレイヤを示している。このバージョンでは、上下のチャンバーは、別々に、選択的に膨張される。
【００２５】
[00031]  具体的には、図７−８を参照すると、膨張可能なクッションデバイス６００は、第１及び第２のおおよそ対向する内表面６５０、６５５、及び、コア６４０を有する膨張可能な本体６０５を含んでいる。空気不浸透性フィルムレイヤ６６０は、本体６０５に結合され、本体６０５内に配置されている。デバイス５００を通して部分的にのみ伸長する図５−６を参照して説明したフィルムレイヤ５６０とは異なり、フィルムレイヤ６６０はデバイス６００の全長を通して伸張する。第１のチャンバー６６５は、フィルムレイヤ６６０と第１の内表面６５０によって形成される。第２のチャンバー６７０は、フィルムレイヤ６６０と第２の内表面６５５によって形成される。第２のチャンバー６７０は、したがって、フィルムレイヤ６６０によって第１のチャンバー６６５から空気圧で密閉される。デバイス６００は、密閉バックル６４５も含んでいてよい。
【００２６】
[00032]  第１の首部６１０は、空気圧で、第１のチャンバー６６５に結合される。第２の首部６１１は、空気圧で、第２のチャンバー６７０に結合される。デバイス６００は、本体６０５と首部６１０、６１１間の移行ゾーンとして機能する肩部６３０をさらに含む。
【００２７】
[00033]  第１弁部材６１５は、終端及び遠位端６２０、６２５を含む。第１の弁部材終端６２０は、第１の首部６１０に取り付けられている。第２の弁部材６１６は、同様に、終端及び遠位端６２１、６２６を有する。第２の弁部材終端６２１は、第２の首部６１１に取り付けられている。実施形態では、弁部材６１５、６１６の幅は、終端６２０、６２１から遠位端６２５、６２６に先細になっており、したがって遠位端は終端よりも広くなく、これにより、いったんデバイス６００が完全に又はほぼ完全に膨張すると、弁部材の自動閉鎖を促進する。
【００２８】
[00034]  弁部材１１５を参照して上述した方法と類似した方法で、第１の弁部材６１５は、第１の弁部材遠位端６２５が第１の首部６１０の内側に配置されている膨張構成を有する。第１の弁部材６１５は、第１の弁部材遠位端６２５が、膨張構成の方向と対向する方向で第１の首部６１０の外側に配置されている収縮構成を有する。
【００２９】
[00035]  同様に、第２の弁部材６１６は、第２の弁部材遠位端６２６が第２の首部６１１の内側に配置される膨張構成を有している。第２の弁部材６１６は、第２の弁部材遠位端６２６が、膨張構成の方向と対向する方向で第２の首部６１１の外側に配置されている収縮構成を有する。
【００３０】
[00036]  第１及び第２の弁部材６１５、６１６が膨張構成であるとき、第１及び第２の弁部材の遠位端６２５、６２６は、肩部６３０中ではないが、肩部６３０に向かって伸張する。デバイス６００は、空気弁６７５、６８０をさらに含み、これらは、第１及び第２のチャンバー６６５、６７０とそれぞれ流体連結する自己膨張型のものであってよい。弁６７５、６８０は、いったん弁部材６１５、６１６が密閉されると、デバイス６００のユーザが、第１及び第２のチャンバー６６５、６７０中の膨張圧を「微調整」できるようにする。
【００３１】
[00037]  以上のことから、本発明の特定の実施形態は、実例の目的でここに説明されるが、本発明の精神及び範囲から逸脱することなく、さまざまな修正を行うことができることを理解すべきである。したがって、本発明は、添付の特許請求の範囲によるものを除いて限定されない。
【図１】
2018507036.tif 000003
【図２】
2018507036.tif 000004
【図３】
2018507036.tif 000005
【図４】
2018507036.tif 000006
【図５】
2018507036.tif 000007
【図６】
2018507036.tif 000008
【図７】
2018507036.tif 000009
【図８】
2018507036.tif 000010
【図９】
2018507036.tif 000011
【図１０】
2018507036.tif 000012
【国際調査報告】
2018507036.tif 000013